(57)【要約】【課題】汚水流入量の変動に容易に対応することができる汚水処理装置及び汚水処理方法を提供する。【解決手段】（１）調整ポンプにより汚水が曝気槽に流入され、（２）汚水に含まれるアンモニアにより曝気槽内のｐＨ値が上昇し、（３）ｐＨ測定値が第１設定値以上になると、（４）送風機の運転が開始され、曝気槽に空気が送り込まれて、（５）撹拌により曝気槽内のｐＨ値が低下する。そののち、（６）調整ポンプが停止し、（７）アンモニアの硝化により曝気槽内のｐＨ値が低下し、（８）ｐＨ測定値が第２設定値以下になると、（９）送風機３０の運転が停止される。【選択図】図２
2015217375.tif 000002
【特許請求の範囲】
【請求項１】
活性汚泥を利用して汚水を浄化する汚水処理装置であって、
汚水を活性汚泥と共に収容し、曝気する曝気槽と、
前記曝気槽に空気を送り込むための送風機と、
前記曝気槽内の汚水のｐＨ値を測定するｐＨ測定手段と、
前記ｐＨ測定手段により測定したｐＨ測定値が、ｐＨ６．４以上ｐＨ７．０以下の範囲内の第１設定値以上となった時に、前記送風機の運転を開始して前記曝気槽への空気の送り込みを開始し、前記ｐＨ測定手段により測定したｐＨ測定値が、ｐＨ５．８以上ｐＨ６．４以下の範囲内でかつ第１設定値よりも０．３以上小さい第２設定値以下となった時に、前記送風機の運転を停止して前記曝気槽への空気の送り込みを停止するように制御するｐＨ基準運転制御手段と
を備えたことを特徴とする汚水処理装置。
【請求項２】
前記送風機を設定した間隔ごとに、設定した時間の間運転するように制御する運転制御タイマーと、
前記ｐＨ基準運転制御手段及び前記運転制御タイマーのうちの少なくとも一方が前記送風機を運転するように制御している時に、前記送風機を運転し、かつ、前記ｐＨ基準運転制御手段及び前記運転制御タイマーの両方が前記送風機の運転を停止するように制御している時に、前記送風機の運転を停止するか、又は、前記ｐＨ基準運転制御手段及び前記運転制御タイマーのうちの少なくとも一方が前記送風機の運転を開始するように制御した時に、前記送風機の運転を開始し、かつ、前記ｐＨ基準運転制御手段及び前記運転制御タイマーのうちの一方のみが前記送風機を運転するように制御している場合に、その一方が前記送風機の運転を停止するように制御した時に前記送風機の運転を停止し、前記ｐＨ基準運転制御手段及び前記運転制御タイマーの両方が前記送風機を運転するように制御している場合に、前記ｐＨ基準運転制御手段が前記送風機の運転を停止するように制御した時に前記送風機の運転を停止するように調整する運転調整手段と
を備えたことを特徴とする請求項１記載の汚水処理装置。
【請求項３】
高速道路に設置された施設において用いることを特徴とする請求項１又は請求項２記載の汚水処理装置。
【請求項４】
汚水を活性汚泥と共に曝気槽に収容し、送風機により空気を送り込んで曝気することにより、活性汚泥を利用して汚水を浄化する汚水処理方法であって、
前記曝気槽内の汚水のｐＨ値を測定し、そのｐＨ測定値が、ｐＨ６．４以上ｐＨ７．０以下の範囲内の第１設定値以上となった時に、前記送風機の運転を開始して前記曝気槽への空気の送り込みを開始し、ｐＨ測定値が、ｐＨ５．８以上ｐＨ６．４以下の範囲内でかつ第１設定値よりも０．３以上小さい第２設定値以下となった時に、前記送風機の運転を停止して前記曝気槽への空気の送り込みを停止するように制御するｐＨ基準運転制御手順を含む
ことを特徴とする汚水処理方法。
【請求項５】
運転制御タイマーにより、前記送風機を設定した間隔ごとに、設定した時間の間運転するように制御するタイマー運転制御手順と、
前記ｐＨ基準運転制御手順及び前記タイマー運転制御手順のうちの少なくとも一方により前記送風機を運転するように制御されている時に、前記送風機の運転し、かつ、前記ｐＨ基準運転制御手順及び前記タイマー運転制御手順の両方により前記送風機の運転を停止するように制御されている時に、前記送風機の運転を停止するか、又は、前記ｐＨ基準運転制御手順及び前記タイマー運転制御手順のうちの少なくとも一方により前記送風機の運転を開始するように制御された時に、前記送風機の運転を開始し、かつ、前記ｐＨ基準運転制御手順及び前記タイマー運転制御手順のうちの一方のみにより前記送風機を運転するように制御されている場合に、その一方により前記送風機の運転を停止するように制御された時に前記送風機の運転を停止し、前記ｐＨ基準運転制御手順及び前記タイマー運転制御手順の両方により前記送風機を運転するように制御されている場合に、前記ｐＨ基準運転制御手順により前記送風機の運転を停止するように制御された時に前記送風機の運転を停止するように調整する運転調整手順と
を含むことを特徴とする請求項１記載の汚水処理方法。
【請求項６】
高速道路に設置された施設において用いることを特徴とする請求項４又は請求項５記載の汚水処理方法。
【発明の詳細な説明】
【技術分野】
【０００１】
本発明は、汚水中に含まれる有機性汚濁成分を微生物処理する汚水処理方法及び汚水処理装置に関する。
【背景技術】
【０００２】
生活排水等の汚水を処理の方法には、例えば、微生物を利用したものがある。この汚水処理方法では、例えば、汚水を調整槽に一旦貯留した後、曝気槽に送って曝気し、次いで沈殿槽で活性汚泥を沈降分離して上澄水を放流している（例えば、特許文献１参照）。高速道路に設置された汚水処理装置でもこのような汚水処理方法が採用されており、従来は、曝気槽に空気を送る送風機の運転時間をタイマーにより設定していた。しかしながら、高速道路に設置された汚水処理装置では、汚水の流入量が、繁忙期、連休、曜日、イベント、季節、天候、又は、閉鎖等々により大きく変動する。例えば、高速道路に設置された汚水処理装置において、１年間を通しての汚水の日単位での最大流入量は５４０ｍ３／日、最少流入量は４６ｍ３／日、平均流入量は１０４ｍ３／日と大きく変動している。また、平日の汚水の流入量は平均して９０ｍ３／日から１００ｍ３／日であるのに対して、土日の汚水の流入量は平日よりも平均して５０ｍ３／日から１００ｍ３／日多くなっている。
【０００３】
よって、タイマーによる送風機の運転では、流入変動に対応することが難しく、空気量に過不足が生じてしまっていた。その結果、空気量が過剰の場合には、汚泥が解体して細かくなり、放流水に混ざって流出し、放流水質が低下してしまうという問題や、送風機を無駄に運転することになり、消費電力の無駄が生じてしまうという問題もあった。また、空気量が不足の場合には、汚れが汚泥に取り込まれて余剰汚泥が増加してしまうという問題もあった。更に、空気量が過不足すると、汚泥が腐敗したスカムが発生し、その処理をしなければならないという問題もあった。加えて、従来は、点検時等に汚水の流入量を予測してタイマーの設定を変更することで対応していたが、リアルタイムに対応することは難しく、また、変動に細かく対応するには、設定変更を頻繁に行わなければならないので、作業に手間がかかるという問題もあった。
【先行技術文献】
【特許文献】
【０００４】
【特許文献１】特開平５−１８５０８７号公報
【発明の概要】
【発明が解決しようとする課題】
【０００５】
本発明は、このような問題に基づきなされたものであり、汚水流入量の変動に容易に対応することができる汚水処理装置及び汚水処理方法を提供することを目的とする。
【課題を解決するための手段】
【０００６】
本発明の汚水処理装置は、活性汚泥を利用して汚水を浄化するものであって、汚水を活性汚泥と共に収容し、曝気する曝気槽と、曝気槽に空気を送り込むための送風機と、曝気槽内の汚水のｐＨ値を測定するｐＨ測定手段と、ｐＨ測定手段により測定したｐＨ測定値が、ｐＨ６．４以上ｐＨ７．０以下の範囲内の第１設定値以上となった時に、送風機の運転を開始して曝気槽への空気の送り込みを開始し、ｐＨ測定手段により測定したｐＨ測定値が、ｐＨ５．８以上ｐＨ６．４以下の範囲内でかつ第１設定値よりも０．３以上小さい第２設定値以下となった時に、送風機の運転を停止して曝気槽への空気の送り込みを停止するように制御するｐＨ基準運転制御手段とを備えたものである。
【０００７】
本発明の汚水処理方法は、汚水を活性汚泥と共に曝気槽に収容し、送風機により空気を送り込んで曝気することにより、活性汚泥を利用して汚水を浄化するものであって、曝気槽内の汚水のｐＨ値を測定し、そのｐＨ測定値が、ｐＨ６．４以上ｐＨ７．０以下の範囲内の第１設定値以上となった時に、送風機の運転を開始して曝気槽への空気の送り込みを開始し、かつ、ｐＨ測定値が、ｐＨ５．８以上ｐＨ６．４以下の範囲内でかつ第１設定値よりも０．３以上小さい第２設定値以下となった時に、送風機の運転を停止して曝気槽への空気の送り込みを停止するように制御するｐＨ基準運転制御手順を含むものである。
【発明の効果】
【０００８】
本発明によれば、曝気槽内の汚水のｐＨ値を測定し、ｐＨ基準運転制御手段によりｐＨ測定値が第１設定値以上となった時に送風機の運転を開始し、ｐＨ測定値が第２設定値以下となった時に送風機の運転を停止するようにしたので、し尿を含むアルカリ性の汚水が流入してｐＨ値が上昇した時に曝気槽への空気の送り込みを開始し、し尿に含まれるアンモニア性窒素の硝化（酸化）によりｐＨ値が低下した時に、曝気槽への空気の送り込みを停止することができる。よって、汚水の流入変動に容易に対応することができ、流入ＢＯＤ／空気量（必要酸素量）の比を所定の範囲内とし、空気量に過不足が生じることを抑制することができる。
【０００９】
従って、空気量が過剰となり、汚泥が細かく解体して放流水に混ざって流出することにより、放流水質が低下してしまうことを抑制することができる。また、送風機を効率的に運転することができ、消費電力を削減することができる。更に、空気量の不足による余剰汚泥の増加を抑制することもできる。加えて、空気量の過不足により汚泥が腐敗したスカムの発生を抑制することができ、処理作業の手間を削減することができる。更にまた、運転制御タイマーの設定変更を行う必要がなく、作業の手間及び時間を削減することができる。
【００１０】
特に、高速道路に設置されたサービスエリア等、不特定多数の利用客が利用し、汚水の流入変動が激しい施設において本発明を用いるようにすれば、汚水の流入変動に容易に対応することができるので、より高い効果を得ることができる。
【００１１】
また、ｐＨ値による制御と運転制御タイマーによる制御とを併用し、それらの制御を調整するようにすれば、汚水の量が多い時にはｐＨ値による制御を行い、汚水の量が少ない時は運転制御タイマーによる制御を行うことができ、汚水の流入変動により容易に対応することができる。
【図面の簡単な説明】
【００１２】
【図１】本発明の一実施の形態に係る汚水処理装置の構成を表す図である。
【図２】図１に示した汚水処理装置による汚水処理手順を説明する図である。
【発明を実施するための形態】
【００１３】
以下、本発明の実施の形態について図面を参照して詳細に説明する。
【００１４】
図１は、本発明の一実施の形態に係る汚水処理装置１の構成を表す図である。図２は、この汚水処理装置１による汚水処理手順を説明する図である。この汚水処理装置１は、高速道路に設置されたサービスエリアやパーキングエリア等、不特定多数の利用客が利用し、汚水Ｍ１の流入変動が激しい施設において好ましく用いることができるものである。
【００１５】
汚水処理装置１は、例えば、汚水Ｍ１を一時的に貯留し、汚水Ｍ１の流量及び水質の変動を調整する調整槽１０と、汚水Ｍ１を活性汚泥と共に収容し、曝気する曝気槽２０と、曝気槽２０に空気を送り込むための送風機３０と、曝気後の汚水Ｍ２から汚泥Ｍ３を沈降させて、汚泥Ｍ３と上澄水Ｍ４とに分離する沈殿槽４０とを備えている。調整槽１０には、例えば、水位を検知する水位センサー１１ＷＨ，１１ＷＬ及び調整ポンプ１２が配設されている。水位センサー１１ＷＨは、調整ポンプ１２を起動させるための高水位を検出するものであり、水位センサー１１ＷＬは、調整ポンプ１２を停止させるための低水位を検出するものである。調整槽１０と曝気槽２０とは例えば配管１３により接続されており、配管１３には例えば流量計量器１４が配設されている。調整層１０の汚水Ｍ１は、例えば、水位センサー１１ＷＨにより汚水Ｍ１の水位が所定の基準水位よりも高いことを検出すると、調整ポンプ１２により配管１３を介して曝気槽２０に流入されるようになっている。配管１３は、曝気槽２０の上方から汚水Ｍ１を流入するように配設されていることが好ましい。
【００１６】
曝気槽２０は、例えば、配管２１により接続された第１曝気槽２０Ａと、第２曝気槽２０Ｂとを有している。配管２１は、例えば、バルブ２２により開閉可能とされており、汚水処理量が多い時には、バルブ２２をあけて第１曝気槽２０Ａと第２曝気槽２０Ｂとを使用し、汚水処理量が少ない時は、バルブ２２を閉めて第１曝気槽２０Ａのみを使用するように調整できるようになっている。なお、図１では、曝気槽２０が第１曝気槽２０Ａと第２曝気槽２０Ｂとの２基を備える場合について示したが、汚水処理量が少ない所では第１曝気槽２０Ａのみにより構成してもよく、汚水処理量が多い所では第３曝気槽など３基以上を備えるようにしてもよい。
【００１７】
曝気槽２０の内部、具体的には第１曝気槽２０Ａ及び第２曝気槽２０Ｂの内部には、例えば、送風機３０に接続された送風管３１がそれぞれ配設されている。曝気槽２０、具体的には第１曝気槽２０Ａ及び第２曝気槽２０Ｂと沈殿槽４０とは、例えば、配管２３によりそれぞれ接続されている。
【００１８】
曝気槽２０では、例えば、活性汚泥を利用して汚水Ｍ１を浄化するようになっている。汚水Ｍ１には、例えば、有機物の汚れとアンモニア（ＮＨ４＋）が含まれており、例えば、有機物としてぶどう糖（グルコース；Ｃ６Ｈ１２Ｏ６）を用いて反応式を示すと、以下に示す同化作用、異化作用、及び、体内呼吸作用により浄化される。
同化作用      Ｃ６Ｈ１２Ｏ６（有機物）＋ＮＨ３＋Ｏ２
→  Ｃ５Ｈ７ＮＯ２（新たな汚泥）＋ＣＯ２＋４Ｈ２Ｏ
異化作用      Ｃ６Ｈ１２Ｏ６（有機物）＋６Ｏ２  →  ６ＣＯ２＋６Ｈ２Ｏ＋熱
体内呼吸作用  Ｃ５Ｈ７ＮＯ２（汚泥）＋７Ｏ２  →  ５ＣＯ２＋３Ｈ２Ｏ＋ＨＮＯ３
【００１９】
曝気槽２０において、空気量が不足すると、同化作用が増加し、異化作用及び体内呼吸作用が減少して、余剰汚泥が増加する。一方、空気量が適正であると、異化作用及び体内呼吸作用が増加して汚泥が減少する。よって、空気量を適切に制御することが重要となる。なお、曝気槽２０に流入する汚水Ｍ１は、アンモニア（ＮＨ４＋）が含まれているためにｐＨ値がｐＨ７．５からｐＨ８．５程度の弱アルカリ性を示すが、曝気槽２０において浄化されると、同化作用及び体内呼吸作用により、硝化（酸化）されて酸素と結合し、窒素態が以下に示すように変化して、ｐＨ値が例えばｐＨ６．２からｐＨ６．８程度に低下する。すなわち、体内呼吸作用はｐＨ値の低下により確認することが可能である。
ＮＨ４＋（アンモニア性窒素）→ＮＯ２−（亜硝酸性窒素）→ＮＯ３−（硝酸性窒素）
【００２０】
この汚水処理装置１では、曝気槽２０内の汚水Ｍ１，Ｍ２のｐＨ値を測定するｐＨ測定手段５０が曝気槽２０に配設され、このｐＨ測定手段５０により測定したｐＨ測定値を利用して送風機３０の運転を制御する制御部６０が設けられている。ｐＨ測定手段５０は、例えば、曝気槽２０の流出部付近に配設されることが好ましい。制御部６０は、例えば、ｐＨ測定手段５０により測定したｐＨ測定値に基づいて送風機３０の運転を制御するｐＨ基準運転制御手段６１と、送風機３０を設定条件に従って運転するように制御する運転制御タイマー６２と、ｐＨ基準運転制御手段６１と運転制御タイマー６２との制御を調整する運転調整手段６３とを備えていることが好ましい。
【００２１】
ｐＨ基準運転制御手段６１は、例えば、ｐＨ測定手段５０により測定したｐＨ測定値が、ｐＨ６．４以上ｐＨ７．０以下の範囲内の第１設定値以上となった時に、送風機３０の運転を開始して曝気槽２０への空気の送り込みを開始し、ｐＨ測定手段により測定したｐＨ測定値が、ｐＨ５．８以上ｐＨ６．４以下の範囲内でかつ第１設定値よりも０．３以上小さい第２設定値以下となった時に、送風機３０の運転を停止して曝気槽２０への空気の送り込みを停止するように構成されている。第１設定値は、ｐＨ６．５以上ｐＨ７．０以下の範囲内とすればより好ましく、第２設定値は、ｐＨ６．０以上ｐＨ６．４以下の範囲内でかつ第１設定値よりも０．３以上小さくすればより好ましい。
【００２２】
運転制御タイマー６２は、例えば、送風機３０を設定した間隔ごとに、設定した時間の間運転するように構成されている。
【００２３】
運転調整手段６３は、例えば、ｐＨ基準運転制御手段６１及び運転制御タイマー６２のうちの少なくとも一方が送風機３０を運転するように制御している時に、送風機３０の運転し、かつ、ｐＨ基準運転制御手段６１及び運転制御タイマー６２の両方が送風機３０の運転を停止するように制御している時に、送風機３０の運転を停止するように構成されている。すなわち、運転調整手段６３は、例えば、ｐＨ基準運転制御手段６１及び運転制御タイマー６２のうちの少なくとも一方が送風機３０の運転を指示している時には運転を指示し、両方が運転の停止を指示している時には運転の停止を指示するように構成されている。
【００２４】
また、運転調整手段６３は、例えば、ｐＨ基準運転制御手段６１及び運転制御タイマー６２のうちの少なくとも一方が送風機３０の運転を開始するように制御した時に、送風機３０の運転を開始し、かつ、ｐＨ基準運転制御手段６１及び運転制御タイマー６３のうちの一方のみが送風機３０を運転するように制御している場合には、その一方が送風機３０の運転を停止するように制御した時に送風機３０の運転を停止し、ｐＨ基準運転制御手段６１及び運転制御タイマー６２の両方が送風機３０を運転するように制御している場合には、ｐＨ基準運転制御手段６１が送風機３０の運転を停止するように制御した時に送風機３０の運転を停止するように構成してもよい。すなわち、運転調整手段６３は、例えば、ｐＨ基準運転制御手段６１及び運転制御タイマー６２のうちの少なくとも一方が送風機３０の運転を開始するように指示した時に運転を開始し、ｐＨ基準運転制御手段６１及び運転制御タイマー６３のうちの一方のみが送風機３０の運転を指示している場合には、その一方が運転の停止を指示した時に送風機３０の運転を停止し、両方が送風機３０の運転を指示している場合には、ｐＨ基準運転制御手段６１の指示を優先し、ｐＨ基準運転制御手段６１が運転の停止を指示した時に送風機３０の運転を停止するように構成されていてもよい。
【００２５】
この汚水処理装置１は、また、例えば、沈殿槽４０と配管４１により接続され、沈殿槽４０において分離した上澄水Ｍ４を消毒する消毒槽７０と、この消毒槽７０と配管７１により接続され、消毒した上澄水Ｍ１を放流するための放流槽８０とを備えている。沈殿槽４０には、また、分離した汚泥Ｍ３の一部を曝気槽２０に戻すと共に、一部の余剰汚泥Ｍ３を搬出する配管４２が配設されている。配管４２には、汚泥計量装置４３及び汚泥返送装置４４が配設されている。放流槽８０には、例えば、放流ポンプ８１が配設されている。
【００２６】
この汚水処理装置１は、例えば、次のようにして汚水処理を行う。汚水Ｍ１は、まず、調整槽１０に流入し、調整槽１０における汚水Ｍ１の水位が所定の基準水位よりも高くなると、調整ポンプ１２により曝気槽２０に流入される。曝気槽２０に収容された汚水Ｍ１は、送風機３０により送り込まれた空気で曝気され、活性汚泥により浄化される。その際、送風機３０は、次のようにして制御する。
【００２７】
まず、曝気槽２０内の汚水Ｍ１，Ｍ２のｐＨ値をｐＨ測定手段５０により測定し、ｐＨ基準運転制御手段６１により、ｐＨ測定値が、例えば、ｐＨ６．４以上ｐＨ７．０以下の範囲内の第１設定値以上となった時に、送風機３０の運転を開始して曝気槽２０への空気の送り込みを開始し、ｐＨ測定値が、ｐＨ５．８以上ｐＨ６．４以下の範囲内でかつ第１設定値よりも０．３以上小さい第２設定値以下となった時に、送風機３０の運転を停止して曝気槽２０への空気の送り込みを停止するように制御する（ｐＨ基準運転制御手順）。
【００２８】
これにより、この汚水処理装置１では、例えば、図２に示したように、調整槽１０の水位が上昇すると、（１）調整ポンプ１２により汚水が曝気槽２０に流入され、（２）汚水Ｍ１に含まれるアンモニア（ＮＨ４＋）により曝気槽２０内のｐＨ値が上昇し、（３）ｐＨ測定値が第１設定値以上になると、（４）ｐＨ基準運転制御手段６１により送風機３０の運転が開始され、曝気槽２０に空気が送り込まれて、（５）撹拌により曝気槽２０内のｐＨ値が低下する。そののち、調整槽１０の水位が低下すると、（６）調整ポンプ１２が停止し、（７）アンモニア（ＮＨ４＋）の硝化（酸化）により曝気槽２０内のｐＨ値が低下し、（８）ｐＨ測定値が第２設定値以下になると、（９）ｐＨ基準運転制御手段６１により送風機３０の運転が停止される。
【００２９】
また、送風機３０の運転は、ｐＨ基準運転制御手段６１と共に、運転制御タイマー６２を併用して制御することが好ましい。運転制御タイマー６２は、例えば、汚水Ｍ１の流入とは関係なく、送風機３０を設定した間隔ごとに、設定した時間の間運転するように制御する（タイマー運転制御手順）。
【００３０】
ｐＨ基準運転制御手段６１による制御（ｐＨ基準運転制御手順）と、運転制御タイマー６２による制御（タイマー運転制御手順）は、運転調整手段６３により、次のようにして調整する。例えば、ｐＨ基準運転制御手順及びタイマー運転制御手順のうちの少なくとも一方により送風機３０を運転するように制御されている時に、送風機３０の運転し、かつ、ｐＨ基準運転制御手順及びタイマー運転制御手順の両方により送風機３０の運転を停止するように制御されている時に、送風機３０の運転を停止する。
【００３１】
また、ｐＨ基準運転制御手順及びタイマー運転制御手順のうちの少なくとも一方により送風機３０の運転を開始するように制御された時に、送風機２０の運転を開始し、かつ、ｐＨ基準運転制御手順及びタイマー運転制御手順のうちの一方のみにより送風機３０を運転するように制御されている場合に、その一方により送風機３０の運転を停止するように制御された時に送風機３０の運転を停止し、ｐＨ基準運転制御手順及びタイマー運転制御手順の両方により送風機３０を運転するように制御されている場合に、ｐＨ基準運転制御手順により送風機３０の運転を停止するように制御された時に送風機３０の運転を停止するように調整してもよい。
【００３２】
これにより、この汚水処理装置１では、汚水Ｍ１の量が多い時にはｐＨ基準運転制御手段６１の制御により送風機３０を運転し、汚水Ｍ１の量が少ない時には運転制御タイマー６２の制御により送風機３０を運転することにより、汚水の流入変動に対応することができる。
【００３３】
このようにして浄化された汚水Ｍ２は、沈殿槽４０に送られ、沈殿槽４０において汚泥Ｍ３が沈降分離され、上澄水Ｍ４は消毒槽７０に送られて消毒されたのち、放流槽８０に送られ、放流ポンプ８１により放流される。また、分離された汚泥Ｍ３の一部は曝気槽２０に返送され、一部の余剰汚泥Ｍ３は搬出される。
【００３４】
本実施の形態の汚水処理装置１を高速道路のサービスエリアに設置し、１年間にわたり汚水処理を行ったところ、放流水のＢＯＤは１ｍｇ／ｌから５ｍｇ／ｌ程度であり、透視度は期間を通して３０度以上と変化がなく、問題の無い水質であることが分かった。
【００３５】
また、本実施の形態の汚水処理装置１で汚水処理を行った時の８月から翌年３月までの送風機３０の稼働時間及び汚水処理装置１の消費電力量と、運転制御タイマーのみにより送風機の制御を行った従来の汚水処理装置で汚水処理を行った時の８月から翌年３月までの送風機の稼働時間及び汚水処理装置の消費電力量とを比較した。その結果を表１及び表２に示す。また、本実施の形態の汚水処理装置１で汚水処理を行った１年間における汚泥引抜量と、運転制御タイマーのみにより送風機の制御を行った従来の汚水処理装置で汚水処理を行った時の１年間の汚泥引抜量とを比較した。その結果を表３に示す。なお、本実施の形態の汚水処理装置１における送風機３０の運転制御においては、第１設定値をｐＨ６．７とし、第２設定値をｐＨ６．４とした。また、従来の汚水処理装置における送風機の稼働時間、汚水処理処置の消費電力量、及び、汚泥引抜量は、本実施の形態の汚水処理装置１を設置した同一のサービスエリアにおいて、本実施の形態の汚水処理装置１を設置する前の過去３年間分を平均した値である。
【００３６】
【表１】
2015217375.tif 000003
【００３７】
【表２】
2015217375.tif 000004
【００３８】
【表３】
2015217375.tif 000005
【００３９】
表１に示したように、本実施の形態の汚水処理装置１によれば、従来の汚水処理装置に比べ、送風機３０の稼働時間について、８月は３８％、９月は１４％、以降約３０％から４５％の削減をすることができた。また、表２に示したように、消費電力については、本実施の形態の汚水処理装置１によれば、８月は３２％、９月は２２％、それ以降も３０％前後の削減をすることができた。更に、表３に示したように、汚泥引抜量は、本実施の形態の汚水処理装置１によれば、２５．６％削減することができた。すなわち、本実施の形態の汚水処理装置１によれば、送風機を効率的に運転することができ、消費電力を削減できると共に、余剰汚泥を削減できることが分かった。
【００４０】
このように本実施の形態によれば、曝気槽２０内の汚水のｐＨ値を測定し、ｐＨ基準運転制御手段６１によりｐＨ測定値が第１設定値以上となった時に送風機３０の運転を開始し、ｐＨ測定値が第２設定値以下となった時に送風機３０の運転を停止するようにしたので、し尿を含むアルカリ性の汚水Ｍ１が流入してｐＨ値が上昇した時に曝気槽３０への空気の送り込みを開始し、し尿に含まれるアンモニア性窒素の硝化（酸化）によりｐＨ値が低下した時に、曝気槽３０への空気の送り込みを停止することができる。よって、汚水Ｍ１の流入変動に容易に対応することができ、流入ＢＯＤ／空気量（必要酸素量）の比を所定の範囲内とし、空気量に過不足が生じることを抑制することができる。
【００４１】
従って、空気量が過剰となり、汚泥Ｍ３が細かく解体して放流水に混ざって流出することにより、放流水質が低下してしまうことを抑制することができる。また、送風機３０を効率的に運転することができ、消費電力を削減することができる。更に、空気量の不足による余剰汚泥の増加を抑制することもできる。加えて、空気量の過不足によるスカムの発生を抑制することができ、処理作業の手間を削減することができる。更にまた、運転制御タイマーの設定変更を行う必要がなく、作業の手間及び時間を削減することができる。
【００４２】
特に、高速道路に設置されたサービスエリア等、不特定多数の利用客が利用し、汚水の流入変動が激しい施設において用いるようにすれば、汚水の流入変動に容易に対応することができるので、より高い効果を得ることができる。
【００４３】
また、ｐＨ基準運転制御手段６１による制御と運転制御タイマー６２による制御とを併用し、それらの制御を運転制御手段により調整するようにすれば、汚水Ｍ１の量が多い時にはｐＨ基準運転制御手段６１による制御を行い、汚水Ｍ１の量が少ない時は運転制御タイマー６２による制御を行うことができ、汚水Ｍ１の流入変動により容易に対応することができる。
【００４４】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００４５】
１…汚水処理装置、１０…調整槽、１１ＷＨ，１１ＷＬ…水位センサー、１２…調整ポンプ、１３…配管、１４…流量計量器、２０…曝気槽、２０Ａ…第１曝気槽、２０Ｂ…第２曝気槽、２１…配管、２２…バルブ、２３…配管、３０…送風機、３１…送風管、４０…沈殿槽、４１，４２…配管、４３…汚泥計量装置、４４…汚泥返送装置、５０…ｐＨ測定手段、６０…制御部、６１…ｐＨ基準運転制御手段、６２…運転制御タイマー、６３…運転調整手段、７０…消毒槽、７１…配管、８０…放流槽、８１…放流ポンプ
【図１】
2015217375.tif 000006
【図２】
2015217375.tif 000007